(57)【要約】【課題】通気性を保ち、機械的強度を向上させ、かつ防虫効果を高めることができる防虫ネットを提供する。【解決手段】防虫ネット１０は農作物を栽培するネットハウスＡを構成するものである。防虫ネット１０は多数の孔１２を形成するフィルム基材１１と、フィルム基材１１の孔１２内に設けられた線状部材１５とを有している。孔１２を有するフィルム基材１１は機械的強度を保ち、通気性を維持する。フィルム基材１１の孔１２内に設けられた線状部材１５によって防虫効果を向上させる。【選択図】図１
2012139207.tif 000002
【特許請求の範囲】
【請求項１】
フィルム基材に複数の孔が設けられた平板状ネット部材と、
ネット部材に接着され、各孔内に延びる複数の線状部材または帯状部材とを備えたことを特徴とする防虫ネット。
【請求項２】
各孔内において各線状部材または帯状部材は、連結せずに設けられていることを特徴とする請求項１記載の防虫ネット。
【請求項３】
線状部材または帯状部材の幅は、ネット部材の最小幅より小さいことを特徴とする請求項１または２記載の防虫ネット。
【請求項４】
ネット部材および線状部材または帯状部材のうち、少なくとも一方は切断時に切断面が毛羽立つことを特徴とする請求項１乃至３のいずれか記載の防虫ネット。
【請求項５】
線状部材または帯状部材は粘着剤を含むことを特徴とする請求項１乃至４のいずれか記載の防虫ネット。
【請求項６】
線状部材または帯状部材は防虫剤を含むことを特徴とする請求項１乃至５のいずれか記載の防虫ネット。
【請求項７】
複数の孔が設けられた一対の平板状ネット部材を備え、
一方のネット部材と他方のネット部材は、互いの孔の位置がずれるよう積層されていることを特徴とする防虫ネット。
【発明の詳細な説明】
【技術分野】
【０００１】
本発明は、害虫が侵入するのを防止することができる農業分野で用いられる防虫ネットに関する。
【背景技術】
【０００２】
従来、農業分野で使用される防虫ネットは、縦糸と横糸とを略同一の間隔でネット状に織って形成したネットとなっている。この防虫ネットは、縦糸および横糸を織ることにより形成された多数の孔を含む。
【０００３】
しかしながら、防虫効果を高めるために孔を小さくしようとする場合に、孔を小さくする前の防虫ネットの通気性を維持するために、小さい孔を数多く形成する必要が生じる。小さい孔を数多く形成するためには縦糸と横糸の幅（太さ）を小さくする必要があるが、この場合は縦糸および横糸の強度が低下するため防虫ネット全体の機械的強度が低下し、防虫ネットが部分的に破損することも考えられる。
【０００４】
また、防虫効果を高めるために孔を小さくしようとしても、形成できる孔の大きさには限界がある。
【先行技術文献】
【特許文献】
【０００５】
【特許文献１】特開２００２−１２９８５４号公報
【発明の概要】
【発明が解決しようとする課題】
【０００６】
本発明はこのような点を考慮してなされたものであり、通気性および機械的強度を低下させることなく、防虫効果を向上させることができる防虫ネットを提供することを目的とする。
【課題を解決するための手段】
【０００７】
本発明は、フィルム基材に複数の孔が設けられた平板状ネット部材と、ネット部材に接着され、各孔内に延びる複数の線状部材または帯状部材とを備えたことを特徴とする防虫ネットである。
【０００８】
本発明は、各孔内において各線状部材または帯状部材は、連結せずに設けられていることを特徴とする防虫ネットである。
【０００９】
本発明は、線状部材または帯状部材の幅は、ネット部材の最小幅より小さいことを特徴とする防虫ネットである。
【００１０】
本発明は、ネット部材および線状部材または帯状部材のうち、少なくとも一方は切断時に切断面が毛羽立つことを特徴とする防虫ネットである。
【００１１】
本発明は、線状部材または帯状部材は粘着剤を含むことを特徴とする防虫ネットである。
【００１２】
本発明は、線状部材または帯状部材は防虫剤を含むことを特徴とする防虫ネットである。
【００１３】
本発明は、複数の孔が設けられた一対の平板状ネット部材を備え、一方のネット部材と他方のネット部材は、互いの孔の位置がずれるよう積層されていることを特徴とする防虫ネットである。
【発明の効果】
【００１４】
以上のように本発明によれば、防虫ネットの通気性および機械的強度を低下させることなく、かつ防虫ネットの防虫効果を向上させることができる。
【図面の簡単な説明】
【００１５】
【図１】図１（ａ）は、防虫ネットの第１の実施の形態を示す図であり、図１（ｂ）は防虫ネットの孔を示す図。
【図２】図２（ａ）（ｂ）は、防虫ネットの第２の実施の形態を示す図。
【図３】図３（ａ）（ｂ）は、防虫ネットの変形例を示す図。
【図４】図４（ａ）（ｂ）（ｃ）（ｄ）は、防虫ネットの他の変形例を示す図。
【図５】図５は、防虫ネットの他の変形例を示す図。
【図６】図６は、ネットハウスを示す斜視図。
【図７】図７は、防虫ネットの更に他の変形例を示す図。
【発明を実施するための形態】
【００１６】
第１の実施の形態
次に図１（ａ）（ｂ）および図６により本発明の第１の実施の形態について説明する。
【００１７】
このうち図１（ａ）は防虫ネットの概略を示す図であり、図１（ｂ）は防虫ネットの孔を示す拡大図である。また図６はネットハウスを示す図である。
【００１８】
図１（ａ）（ｂ）および図６に示すように、防虫ネット１０は、例えば野菜や果物等の農作物を栽培するネットハウスＡを構成するものであり、フレームＢにこの防虫ネット１０を取付けることにより、農作物栽培用のネットハウスＡが得られる。
【００１９】
このような防虫ネット１０は、多数の孔１２を有する平板状のフィルム基材（ネット部材）１１と、フィルム基材１１の孔１２内に設けられた多数の線状部材１５とを備えている。
【００２０】
この場合、多数の孔１２を有するフィルム基材１１は、フィルム基材１１を準備し、このフィルム基材１１に対してパンチング加工、打ち抜き加工、エッチング加工を施すことによって、多数の孔１２を開孔することにより得られる。
【００２１】
図１（ａ）において、左右または上下のいずれか２つの孔１２間のフィルム基材１１の幅Ｌ、あるいは斜め方向に配置されたいずれか２つの孔１２間、例えば右上と左下の２つの孔１２間のフィルム基材１１の幅Ｌのうち、最小のものが、フィルム基材１１の最小幅となる。
【００２２】
フィルム基材１１としては樹脂製の樹脂フィルムまたは樹脂薄板（以下、「樹脂フィルム」と言う）あるいは金属フィルムまたは金属薄板（以下、「金属フィルム」と言う）を用いることができ、いずれの場合も樹脂フィルムあるいは金属フィルムに対してパンチング加工、打ち抜き加工、エッチング加工を施すことによって、多数の孔１２を開孔することができる。
【００２３】
このようにフィルム基材１１を準備し、フィルム基材１１に対してパンチング加工、打ち抜き加工、エッチング加工を施して多数の孔１２を有するフィルム基材１１が得られるので、フィルム基材１１の表面を平滑に保つことができる。このため後述のようにフィルム基材１１に線状部材１５を接着する際、この線状部材１５を容易にフィルム基材１１の表面に接着することが可能となる。
【００２４】
また線状部材１５は孔１２内において虫を通さない防虫効果をもち、虫通過阻害部材として機能する。
【００２５】
なお、後述のようにフィルム基材１１が樹脂フィルムからなり、多数の線状部材１５が樹脂製の線状部材からなる場合、フィルム基材１１と線状部材１５を互いに重ね合わせ、熱プレスを施すことにより、フィルム基材１１に線状部材１５を接着することができる。
【００２６】
またフィルム基材１１が金属フィルムからなり、多数の線状部材１５が樹脂製の線状部材からなる場合、フィルム基材１１に線状部材１５を接着剤を用いて接着することができる。
【００２７】
なお、図１（ａ）（ｂ）に示すように、フィルム基材１１の孔１２内において、各線状部材１５は互いに接続されることなく、独立して連結せずに設けられていてもよく、互いに一部接続されていてもよい。
【００２８】
（フィルム基材１１および線状部材１５）
次にフィルム基材１１および線状部材１５の材料について述べる。このうち、フィルム基材１１としては以下のような材料を利用することができる。
【００２９】
フィルム基材１１としては、ポリプロピレン、ポリエステル、ポリエチレン、ポリビニルアルコール、ビニロン、ナイロン、ポリオレフィンなどの樹脂フィルムを用いることができる。
【００３０】
このような樹脂フィルムは、透光性があり植物成育のための採光を妨げることはない。また、透光性を絞ってネットハウスＡ内部の温度上昇を防ぐ場合は、酸化チタンなどを混ぜた樹脂フィルムを用いることができる。この場合、酸化チタン等を混ぜる割合を自由に調整し、透光性を制御できる。
【００３１】
また樹脂フィルムを発泡させフィルム基材１１に保温性能を付与するなどの機能付加を施してもよい。
【００３２】
なお、樹脂フィルムは複数材料を積層した多層フィルムからなっていてもよく、引っ張りに強いポリエチレンと突き刺しに強いナイロンを積層したフィルムを利用し、引っ張り、突き刺し共に強いフィルムを利用することができる。
【００３３】
さらにフィルム基材１１として金属フィルムを用いてもよい。この場合、金属フィルムとしてアルミ板、ステンレス板、銅板などを利用することができる。金属フィルムの表面は金属光沢があるため、虫に対する忌避効果が期待できる。また金属フィルムは数年間の経年変化による伸びや縮みも樹脂フィルムより少ない。
【００３４】
さらに多数の線状部材１５としては、フィルム基材１１と同様の材料、例えばポリプロピレン、ポリエステル、ポリエチレン、ポリビニルアルコール、ビニロン、ナイロン、ポリオレフィン等の樹脂を用いることができる。また線状部材１５として金属製の線状部材を用いてもよい。
【００３５】
さらにまたフィルム基材１１および線状部材１５として、切断された場合に切断面が毛羽立つ材料を用いてもよい。
【００３６】
このようにフィルム基材１１および線状部材１５が切断時に毛羽立つことにより、孔１２内に毛羽立った微細毛を形成することができ、孔１２の防虫効果を高めることができる。
【００３７】
なお、このような切断面が毛羽立つ材料としては、ポリエチレンを延伸させたスズランテープが考えられる。
【００３８】
また線状部材１５中に、虫を粘着して捕獲するため粘着剤を混入してもよい。また線状部材１５中に虫を殺虫するための防虫剤を混入してもよい。
【００３９】
（粘着剤）
まず線状部材１５中に混入される粘着剤としては、アクリル系粘着剤、ゴム系粘着剤、シリコーン系粘着剤などを用いることができるが、これらの中で、粘着性能の点からアクリル系粘着剤が好ましく、特にアクリル系二液架橋型粘着剤が好適である。
【００４０】
また粘着剤としては、天然ゴム系樹脂、エチレン−酢酸ビニル共重合体、スチレン−ブタジエン共重合体、スチレン−イソプレン共重合体、シリコン系共重合体、アクリル酸エステル共重合体、メタクリル酸エステル共重合体、ポリアクリル酸、ポリアクリルアミド、ポリビニルピロリドン、マレイン酸およびその無水物の共重合体、ポリエチレンイミン、メラミン樹脂、尿素樹脂が利用できる。
【００４１】
さらに粘着剤としては、従来の捕虫シートと同様のものでよく、フッ素樹脂系、ケイ素樹脂系、ウレタン樹脂系、アクリル樹脂系のどれかが好ましい。また、ポリブテン系のものも用いられる。
【００４２】
また粘着剤としては、分子量が１万〜５０万、且つ不飽和度が５モル％以下の高分子エラストマーと、分子量１００〜１万の軟化剤とからなる粘着剤組成物を用いてもよい。
【００４３】
高分子エラストマーとしては、ポリイソブチレンゴム、ブチルゴム、ニトリルゴム、スチレン−ブタジエンゴム、スチレン−エチレン・プロピレン−スチレンゴム、アクリルゴム等から選ばれた少なくとも一種がこの発明では特に限定されることなく好適に使用できる。特にポリイソブチレンゴムとブチルゴムは後述する軟化剤との相溶性が適度であり、飛翔害虫に対して優れた捕獲能力を示すのでより好ましく使用される。また、２００〜８００ｎｍにおける波長透過率が９０％以上の無色透明、白色又は淡黄色の色調を有する高分子エラストマーを使用すると、シート、フィルム等からなる粘着剤基材の色相を著しく阻害しないため、色に対する害虫の習性を利用した積極的な誘引を行うことができる。
【００４４】
軟化剤としては液状ポリイソプレン、液状ポリブタジエン、ポリブデン、液状ポリイソブチレン等の中から選ばれた少なくとも一種が限定されることなく好適に使用される。
【００４５】
（防虫剤）
防虫剤としては、ペルメトリン、デルタメストリン等のピレスロイド化合物；クロチアニジン、ジノテフラン等のネオニコチノイド化合物；フィプロニル、エチプロール等のアリールピラゾール化合物；フェノカルブ、メトキシジアゾン等のカーバメート化合物；フェニトロチオン等の有機リン化合物があげられる。
【００４６】
また防虫剤として、ペルメトリン、シペルメトリン、シフェノトリン、ｄ−フェノトリン、レスメトリン、ｄ−レスメトリン、フェンバレレート、エスフェンバレレート、エスビオトリン、フェンプロパトリン、エトフェンプロックス、トラロメトリン、デルタメトリン、シラフルオフェン、シフルトリン、ビフェントリン、アレスリン、ｄ−アレスリン、ピレトリン、テトラメスリン、トランスフルトリン、メトフルトリン、ジメフルトリン、プロフルトリン等を用いることができる。
【００４７】
図１（ａ）（ｂ）において、フィルム基材１１の孔１２内に更に多数の線状部材１５が設けられているので、孔１２の形状を大きく維持することにより、通気性を維持することができ、さらに孔１２内に多数の線状部材１５を設けることにより防虫効果も高めることができる。またフィルム基材１１に小さな形状をもつ孔１２を多数設ける必要がなくなるため、防虫ネット１０全体の機械的強度が低下することもない。
【００４８】
このように孔１２を有するフィルム基材１１が通気性と機械的強度を保つ構造をもち、線状部材１５が防虫効果を有する構造をもつよう、フィルム基材１１の機能と線状部材１５の機能を分離させたことによって、防虫ネット１０全体として、通気性を保ち、機械的強度を向上させ、かつ防虫効果を高めることができる。
【００４９】
なお多数の孔１２を有するネット部材が、フィルム基材１１に多数の孔１２を開孔して得られる旨、説明したが、これに限らず糸を編み込むことにより多数の孔１２を有するネット部材１１を作製してもよい。
【００５０】
第２の実施の形態
次に図２（ａ）（ｂ）〜図５により本発明の第２の実施の形態について説明する。
【００５１】
まず図２（ａ）に示す実施の形態において、防虫ネット２０は多数の孔２２を有するフィルム基材（ネット部材）２１と、フィルム基材２１の孔２２内に設けられた複数の帯状部材２５ａとを備えている。
【００５２】
この場合、多数の孔２２を有するフィルム基材２１は、フィルム基材２１を準備し、このフィルム基材２１に対して孔２２を開孔することにより得られる。
【００５３】
またフィルム基材２１は、縦線部２１ａと、縦線部２１ａと同一の幅（太さ）を有する横線部２１ｂとを有し、フィルム基材２１は多数の孔２２を有する。
【００５４】
また、縦線部２１ａおよび横線部２１ｂに接着された帯状部材２５ａは孔２２内において虫を通さない防虫効果をもち、虫通過阻害部材として機能する。
【００５５】
図２（ａ）（ｂ）において、縦線部２１ａと横線部２１ｂは同一の幅（太さ）を有するため、縦線部２１ａと横線部２１ｂの幅がフィルム基材２１の最小幅となる。但し、縦線部２１ａと横線部２１ｂの幅が異なる場合、縦線部２１ａと横線部２１ｂの幅のうち、最小のものがフィルム基材２１の最小幅となる。
【００５６】
上述のように図２（ａ）において、縦線部２１ａと横線部２１ｂとからなるフィルム基材２１に形成された孔２２内には、帯状部材２５ａが設けられており、帯状部材２５ａの幅（太さ）は縦線部２１ａおよび横線部２１ｂの幅（太さ）より大きくなっている。また帯状部材２５ａは縦線部２１ａおよび横線部２１ｂに接着されているが、孔２２内において各々互いに独立しており、連結されていない。
【００５７】
このように孔２２内において、帯状部材２５ａを互いに独立して設けることにより、孔２２の周長を長くさせることができ、虫が接触する領域を増大させることができる。
【００５８】
なお、図２（ｂ）に示すように、縦線部２１ａと横線部２１ｂとからなるフィルム基材２１に形成された孔２２内に、虫通過阻害部材として、複数の線状部材２５ｂを設けてもよい。この場合、線状部材２５ｂの幅（太さ）は縦線部２１ａおよび横線部２１ｂの幅（太さ）より小さくなっている。
【００５９】
図２（ｂ）に示すように、この線状部材２５ｂは縦線部２１ａおよび横線部２１ｂに接着されているが、孔２２内において各々互いに分離して独立しており、連結されていない。
【００６０】
このように孔２２内において、線状部材２５ｂを互いに独立して設けることにより、孔２２の周長を長くさせることができ、虫が接触する領域を増大させることができる。
【００６１】
（フィルム基材、帯状部材２５ａおよび線状部材２５ｂ）
次に図２（ａ）（ｂ）に示すフィルム基材２１と、帯状部材２５ａと、線状部材２５ｂの材料について以下詳述する。
【００６２】
縦線部２１ａおよび横線部２１ｂとしては以下のような材料を利用することができる。
【００６３】
すなわちフィルム基材２１として、ポリプロピレン、ポリエステル、ポリエチレン、ポリビニルアルコール、ビニロン、ナイロン、ポリオレフィンなどの樹脂フィルムを用いることができる。
【００６４】
このような樹脂フィルムは、透光性があり植物成育のための採光を妨げない。また、透光性を絞ってネットハウスＡ内部の温度上昇を防ぐ場合は、酸化チタンなどを混ぜた樹脂フィルムを用いることができる。この場合、酸化チタン等を混ぜる割合を自由に調整し、透光性を制御できる。
【００６５】
またこのような樹脂フィルムに、発泡させ保温性能を付与するなどの機能付加を施してもよい。
【００６６】
なお、樹脂フィルムは複数材料を積層した多層フィルムからなっていてもよく、引っ張りに強いポリエチレンと突き刺しに強いナイロンを積層したフィルムを利用し、引っ張り、突き刺し共に強いフィルムを利用することができる。
【００６７】
さらにフィルム基材２１として金属フィルムを用いてもよい。この場合、金属フィルムとしてアルミ板、ステンレス板、銅板などを利用することができる。金属フィルムは金属光沢があるため、虫に対する忌避効果が期待できる。また数年間の経年変化による伸びや縮みも樹脂フィルムより少ない。
【００６８】
さらに帯状部材２５ａおよび線状部材２５ｂとしては、フィルム基材２１と同様の材料、例えばポリプロピレン、ポリエステル、ポリエチレン、ポリビニルアルコール、ビニロン、ナイロン、ポリオレフィン等の樹脂を用いることができる。また帯状部材２５ａおよび線状部材２５ｂとして、金属製の帯状部材および線状部材を用いてもよい。
【００６９】
なお、縦線部２１ａと横線部２１ｂとからなるフィルム基材２１が樹脂フィルムからなり、帯状部材２５ａあるいは線状部材２５ｂが樹脂製材料からなる場合、フィルム基材２１と、帯状部材２５ａあるいは線状部材２５ｂを互いに重ね合わせ、熱プレスを施すことにより、フィルム基材２１に帯状部材２５ａあるいは線状部材２５ｂを接着することができる。
【００７０】
またフィルム基材２１が金属フィルムからなり、帯状部材２５ａあるいは線状部材２５ｂが樹脂製の材料からなる場合、フィルム基材２１に帯状部材２５ａあるいは線状部材２５ｂを接着剤を用いて接着することができる。
【００７１】
さらにまたフィルム基材２１、帯状部材２５ａおよび線状部材２５ｂとして、切断された場合に切断面が毛羽立つ材料を用いてもよい。
【００７２】
このようにフィルム基材２１、帯状部材２５ａおよび線状部材２５ｂが切断時に毛羽立つことにより、孔２２内に毛羽立った微細毛を形成することができ、孔２２の防虫効果を高めることができる。
【００７３】
なお、このような切断面が毛羽立つ材料としては、ポリエチレンを延伸させたスズランテープが考えられる。
【００７４】
また図２（ａ）（ｂ）において、虫通過阻害部材を構成する帯状部材２５ａおよび線状部材２５ｂ中に粘着剤および防虫剤を混入してもよい。
【００７５】
帯状部材２５ａおよび線状部材２５ｂ中に混入される粘着剤および防虫剤としては、第１の実施の形態において説明したものと同様のものを用いることができる。
【００７６】
図２（ａ）（ｂ）において、フィルム基材２１にパンチング加工、エッチング加工を施すことによって孔２２を有するフィルム基材２１を形成することができ、この孔２２内に複数の帯状部材２５ａあるいは線状部材２５ｂが設けられているので孔２２の形状を大きく維持することにより通気性を維持することができ、さらに孔２２内に複数の帯状部材２５ａあるいは線状部材２５ｂを設けることにより、孔２２の周長を長くさせることができ、虫が接触する領域を増大させることができ、防虫効果を高めることができる。また孔２２を小さくするために縦線部２１ａおよび横線部２１ｂの幅（太さ）を過度に小さくする必要がないので防虫ネット２０全体として機械的強度が低下することもない。
【００７７】
このように縦線部２１ａと横線部２１ｂとからなり孔２２を有するフィルム基材２１が通気性と機械的強度を保つ構造をもち、帯状部材２５ａおよび線状部材２５ｂが防虫効果を有する構造をもつよう、縦線部２１ａと横線部２１ｂとからなるフィルム基材２１の機能と、帯状部材２５ａおよび線状部材２５ｂの機能を分離させたことによって、防虫ネット２０全体として、通気性を保ち、機械的強度を向上させ、かつ防虫効果を高めることができる。
【００７８】
なお、多数の孔２２を有するネット部材２１がフィルム基材２１に多数の孔２２を開孔して得られる旨、説明したが、これに限らず糸を編み込むことにより多数の孔２２を有するネット部材２１を作製してもよい。
【００７９】
本発明の変形例
次に図３（ａ）（ｂ）により本発明の変形例について説明する。
【００８０】
なお図３（ａ）（ｂ）における本発明の変形例において、図２（ａ）（ｂ）に示す第２の実施の形態と同一部分には同一符号を付して詳細な説明は省略する。
【００８１】
まず、図３（ａ）において、防虫ネット２０は縦線部２１ａと横線部２１ｂとからなり孔２２を有するフィルム基材（ネット部材）２１と、孔２２内に設けられた複数の線状部材２５ｂとを備えている。
【００８２】
このうち、線状部材２５ｂの幅（太さ）は、縦線部２１ａおよび横線部２１ｂの幅（太さ）よりかなり小さくなっている。
【００８３】
また各線状部材２５ｂは孔２２内において虫を通さない防虫効果をもち、虫通過阻害部材として機能し、孔２２内において互いに接続されている。
【００８４】
図３（ａ）において、孔２２内の線状部材２５ｂは、短く細い糸キレにより形成されており、孔２２内の通気性、すなわち開孔面積をほとんど低下させることなく孔２２内を線状部材２５ｂにより埋めて、孔２２内で虫が接触する領域を増大させることができ、防虫効果を高めることができる。
【００８５】
また、図３（ｂ）に示すように、防虫ネット２０は縦線部２１ａと横線部２１ｂとからなり孔２２を有するフィルム基材（ネット部材）２１と、孔２２内に設けられた複数の線状部材２５ｂとを備えている。
【００８６】
このうち、線状部材２５ｂの幅（太さ）は、縦線部２１ａおよび横線部２１ｂの幅（太さ）よりかなり小さくなっている。
【００８７】
また各線状部材２５ｂは孔２２内において虫を通さない防虫効果をもち、虫通過阻害部材として機能し、孔２２内において互いに接続されている。
【００８８】
図３（ｂ）において、孔２２内の線状部材２５ｂは、細長い直線状の部材により形成されており、孔２２内の通気性、すなわち開孔面積をほとんど低下させることなく孔２２内を線状部材２５ｂにより埋めて、孔２２内で虫が接触する領域を増大させることができ、防虫効果を高めることができる。
【００８９】
次に図４（ａ）（ｂ）（ｃ）（ｄ）により本発明の更なる変形例について説明する。
【００９０】
なお、図４（ａ）（ｂ）（ｃ）（ｄ）における本発明の変形例において、図２（ａ）（ｂ）に示す第２の実施の形態と同一部分には同一符号を付して詳細な説明は省略する。
【００９１】
まず図４（ａ）において、防虫ネット２０は縦線部２１ａと横線部２１ｂとからなり孔２２を有するフィルム基材（ネット部材）２１と、孔２２内に設けられた複数の帯状部材２５ａとを備えている。
【００９２】
このうち、帯状部材２５ａの幅（太さ）は、縦線部２１ａおよび横線部２１ｂの幅と同一となっている。また各帯状部材２５ａは縦線部２１ａおよび横線部２１ｂと平行に延び、孔２２内において互いに接続され、接続部２５Ａを形成している。
【００９３】
図４（ａ）において、帯状部材２５ａは縦線部２１ａおよび横線部２１ｂと同一材料からなり、上述のように縦線部２１ａおよび横線部２１ｂと同一幅（太さ）をもっている。
【００９４】
このため、ネット部材２１を作製するため用いられる縦線部２１ａおよび横線部２１ｂの余った材料を帯状部材２５として用いることができ、防虫ネット２０の製造コストを低減させ、製造効率向上を図ることができる。
【００９５】
また、図４（ｂ）において、防虫ネット２０は縦線部２１ａと横線部２１ｂからなり孔２２を有するフィルム基材（ネット部材）２１と、孔２２内に設けられた複数の帯状部材２５ａとを備えている。
【００９６】
このうち、帯状部材２５ａの幅（太さ）は、縦線部２１ａおよび横線部２１ｂの幅と同一となっている。また各帯状部材２５ａは縦線部２１ａおよび横線部２１ｂと平行に延び、孔２２内において互いに接続されることなく、互いに分離して独立している。このため、孔２２の周長を長くさせることができ、虫が接触する領域を増大させることができる。
【００９７】
図４（ｂ）において、帯状部材２５ａは縦線部２１ａおよび横線部２１ｂと異なる材料からなり、上述のように縦線部２１ａおよび横線部２１ｂと同一幅（太さ）をもっている。
【００９８】
さらに、図４（ｃ）において、防虫ネット２０は縦線部２１ａと横線部２１ｂとからなり孔２２を有するフィルム基材（ネット部材）２１と、孔２２内に設けられた複数の帯状部材２５ａとを備えている。
【００９９】
このうち、帯状部材２５ａの幅（太さ）は、縦線部２１ａおよび横線部２１ｂの幅と同一となっている。また各帯状部材２５ａは縦線部２１ａおよび横線部２１ｂと平行に延び、孔２２内において互いに接続されて接続部２５Ａを形成している。そしてこの接続部２５Ａを中心として向い合う一方の帯状部材２５ａと、他方の帯状部材２５ａは一直線を構成することなく、互いにわずかにずれている。
【０１００】
図４（ｃ）において、帯状部材２５ａは縦線部２１ａおよび横線部２１ｂと同一材料からなり、上述のように縦線部２１ａおよび横線部２１ｂと同一幅（太さ）をもっている。
【０１０１】
また、図４（ｄ）において、防虫ネット２０は縦線部２１ａと横線部２１ｂとからなり孔２２を有するフィルム基材（ネット部材）２１と、孔２２内に設けられた複数の帯状部材２５ａとを備えている。
【０１０２】
このうち、帯状部材２５ａの幅（太さ）は、縦線部２１ａおよび横線部２１ｂの幅と同一となっている。また各帯状部材２５ａは縦線部２１ａおよび横線部２１ｂと平行に延びるとともに、孔２２内において互いに接続されて、接続部２５Ａを形成する。図４（ｄ）において各帯状部材２５ａは複数の孔２２に渡って細長状に延びているため、フィルム基材２１に対して帯状部材２５ａを容易に取付けることができる。
【０１０３】
図４（ｄ）において、帯状部材２５ａは縦線部２１ａおよび横線部２１ｂと異なる材料からなり、上述のように縦線部２１ａおよび横線部２１ｂと同一幅（太さ）をもっている。
【０１０４】
次に図５により本発明の変形例について説明する。
【０１０５】
なお図５における本発明の変形例において、図２（ａ）（ｂ）に示す第２の実施の形態と同一部分には同一符号を付して詳細な説明は省略する。
【０１０６】
図５において、防虫ネット２０は縦線部２１ａと横線部２１ｂとからなり孔２２を有するフィルム基材（ネット部材）２１と、孔２２内に設けられた複数の線状部材２５ｂとを備えている。
【０１０７】
このうち、線状部材２５ｂの幅（太さ）は、縦線部２１ａおよび横線部２１ｂの幅（太さ）よりかなり小さくなっている。
【０１０８】
また各線状部材２５ｂは孔２２内において虫を通さない防虫効果をもち、虫通過阻害部材として機能し、孔２２内において互いに接続されている。
【０１０９】
図５において、孔２２内の線状部材２５ｂは、短く細い糸キレにより形成されており、孔２２内の通気性、すなわち開孔面積をほとんど低下させることなく孔２２内を線状部材２５ｂにより埋めて、防虫効果を高めることができる。
【０１１０】
また図５に示すようにフィルム基材（ネット部材）２１に、孔２２内へ延びる突出部材２６が設けられている。この突出部材２６は孔２２内へ延びて孔２２の開孔率を低減させるため、虫を通さない防虫効果をもつ虫通過阻害部材として機能する。
【０１１１】
また、この突出部材２６は、粘着剤および防虫剤を含んでいる。
【０１１２】
図５において、粘着剤および防虫剤を含む突出部材２６を設けることにより、これら粘着剤および防虫剤をこの突出部材２６中に集中させることができ、防虫ネット２０に粘着剤および防虫剤を容易に混入させることができる。
【０１１３】
また突出部材２６中に粘着剤および防虫剤を集中させることにより、粘着剤および防虫剤の効果を高めることができる。
【０１１４】
さらにまた、図７に示すように防虫ネット２０が、縦線部２１ａと横線部２１ｂとからなり孔２２を有する一対のフィルム基材（ネット部材）２１を互いに積層することにより構成されていてもよい。図７において、下方に位置する一方のネット部材２１と、上方に位置する他方のネット部材の孔２２は、各々の孔２２が互いにずれるよう積層されている。これにより、一方のネット部材の孔２２内にさらに他方のネット部材の縦線部２１ａと横線部２１ｂが重なっているので、孔２２の形状を大きく維持することにより、通気性を維持することができ、さらに孔２２内に他方のネット部材の縦線部２１ａと横線部２１ｂが重なっていることにより防虫効果も高めることができる。またフィルム基材２１に小さな形状をもつ孔２２を多数設ける必要がなくなるため、防虫ネット２０全体の機械的強度が低下することもない。
【０１１５】
このように孔２２を有するフィルム基材２１が通気性と機械的強度を保つ構造をもち、下方に位置する一方のネット部材２１と、上方に位置する他方のネット部材の各々の孔２２が互いにずれるように積層する構造をもつようにさせたことによって、防虫ネット１０全体として、通気性を保ち、機械的強度を向上させ、かつ防虫効果を高めることができる。
【符号の説明】
【０１１６】
１０  防虫ネット
１１  フィルム基材
１２  孔
１５  線状部材
２０  防虫ネット
２１  フィルム基材
２１ａ  縦線部
２１ｂ  横線部
２２  孔
２５ａ  帯状部材
２５ｂ  線状部材
Ａ  ネットハウス
Ｂ  フレーム
【図１】
2012139207.tif 000003
【図２】
2012139207.tif 000004
【図３】
2012139207.tif 000005
【図４】
2012139207.tif 000006
【図５】
2012139207.tif 000007
【図６】
2012139207.tif 000008
【図７】
2012139207.tif 000009